(57)【要約】【課題】メンテナンス作業が容易であると共に、エネルギー変換効率が高い空気調和機の室外機を提供する。【解決手段】空気調和機の室外機１Ａは、多角形に形成された底部１３を有する箱状の筐体１０と、底部１３に固定され、開口部３００Ａを有する壁状の第１熱交換部３１Ａ及び、開口部３００Ａに設けられ、第１熱交換部３１Ａとフレキシブル管３３で接続されることで第１熱交換部３１Ａに開閉可能に支持された第２熱交換部３２Ａを有し、第１熱交換部３１Ａと第２熱交換部３２Ａをあわせた全体形状が多角筒状に形成された熱交換器３０Ａと、筐体１０の内部に配置され、筐体１０の側面の側から吸い込んだ空気を熱交換器３０Ａに通過させる送風機２０と、を備える。【選択図】図２
2019174023.tif 000002
【特許請求の範囲】
【請求項１】
多角形に形成された底部を有する箱状の筐体と、
前記底部に固定され、開口を有する壁状の第１熱交換部及び、前記開口に設けられ、前記第１熱交換部とフレキシブル管で接続されることで前記第１熱交換部に開閉可能に支持された第２熱交換部を有し、前記第１熱交換部と前記第２熱交換部をあわせた全体形状が多角筒状に形成された熱交換器と、
前記筐体の内部に配置され、前記筐体の側面の側から吸い込んだ空気を前記熱交換器に通過させる送風機と、
を備える、空気調和機の室外機。
【請求項２】
前記第１熱交換部は、冷媒を分配する第１ヘッダーを有し、
前記第２熱交換部は、冷媒を分配する第２ヘッダーを有し、
前記フレキシブル管は、前記第１ヘッダーと前記第２ヘッダーを接続する、
請求項１に記載の空気調和機の室外機。
【請求項３】
前記第１ヘッダーは、前記第１熱交換部に備えられる、上下方向に向けられた冷媒管に接続され、前記第１熱交換部の上部又は下部に配置され、
前記第２ヘッダーは、前記第２熱交換部に備えられる、上下方向に向けられた冷媒管に接続され、前記第１ヘッダーが前記第１熱交換部の上部に配置されている場合、前記第２熱交換部の上部に配置され、前記第１ヘッダーが前記第１熱交換部の下部に配置されている場合、前記第２熱交換部の下部に配置されている、
請求項２に記載の空気調和機の室外機。
【請求項４】
前記筐体の前記底部は、四角形に形成され、
前記第１熱交換部は、前記筐体が有する４つの側面に対向する４つの壁面を有する四角筒状に形成され、
前記開口は、前記４つの壁面のうち、１つの壁面に開口している、
請求項１から３のいずれか１項に記載の空気調和機の室外機。
【請求項５】
前記１つの壁面に開口している前記開口は、前記１つの壁面が対向する、前記筐体の側面全体を開口する形状に形成されている、
請求項４に記載の空気調和機の室外機。
【請求項６】
前記筐体の前記底部は、四角形に形成され、
前記第１熱交換部は、前記筐体が有する４つの側面に対向する４つの壁面を有する四角筒状に形成され、
前記第１熱交換部は、前記筐体が有する４つの側面のうち、２つの側面に対向する２つの壁面を有し、
前記開口は、前記筐体が有する４つの側面のうちの、残りの２つの側面それぞれに１つずつ形成され、
前記第２熱交換部は、前記開口それぞれに１つずつ設けられている、
請求項１から３のいずれか１項に記載の空気調和機の室外機。
【発明の詳細な説明】
【技術分野】
【０００１】
本発明は空気調和機の室外機に関する。
【背景技術】
【０００２】
空気調和機の室外機には、箱状の筐体が有する４つの側面に対向する４つの壁面を有する形状に形成された熱交換器を備えるものがある。このような室外機には、装置内部のメンテナンスをするために、熱交換器を備える壁面に開口が形成されている。
【０００３】
例えば、特許文献１には、熱交換器に備えられる４つの壁面のうち、２つの壁面が形成するコーナー部に、メンテナンス用の開口が形成された空気調和機の室外機が開示されている。開口には、メンテナンス時に取り外される側面パネルが設けられている。
【先行技術文献】
【特許文献】
【０００４】
【特許文献１】特開２０１３−７６５１７号公報
【発明の概要】
【発明が解決しようとする課題】
【０００５】
特許文献１に記載の空気調和機の室外機では、熱交換器の壁面にメンテナンス用の開口が形成されているため、開口の大きさだけ熱交換する領域が小さい。その結果、熱交換器の伝熱量が小さく、エネルギー変換効率が低い。
【０００６】
一方、壁面に開口が形成された熱交換器の伝熱量を大きくするには、熱交換器の体積を大きくするため、熱交換器の壁面を有する部分の厚みを大きくすることが考えられる。しかし、その場合、熱交換器を空気が通過するときの圧力損失が大きくなり、その結果、エネルギー変換効率を高めることが難しい。
【０００７】
本発明は上記の課題を解決するためになされたもので、メンテナンス作業が容易であると共に、エネルギー変換効率が高い空気調和機の室外機を提供することを目的とする。
【課題を解決するための手段】
【０００８】
上記の目的を達成するため、本発明に係る空気調和機の室外機は、多角形に形成された底部を有する箱状の筐体と、熱交換器と、筐体の内部に配置され、筐体の側面の側から吸い込んだ空気を熱交換器に通過させる送風機と、を備える。熱交換器は、底部に固定され、開口を有する壁状の第１熱交換部及び、開口に設けられ、第１熱交換部とフレキシブル管で接続されることで第１熱交換部に開閉可能に支持された第２熱交換部を有し、第１熱交換部と第２熱交換部をあわせた全体形状が多角筒状に形成されている。
【発明の効果】
【０００９】
本発明の構成によれば、第１熱交換部が有する開口に第２熱交換部が設けられているので、開口の領域でも熱交換することができる。その結果、熱交換器の伝熱量が大きく、エネルギー変換効率が高い。また、第２熱交換部が第１熱交換部に開閉可能に支持されているので、第２熱交換部を開けることで容易にメンテナンス作業をすることができる。
【図面の簡単な説明】
【００１０】
【図１】本発明の実施の形態１に係る空気調和機の室外機の斜視図
【図２】本発明の実施の形態１に係る空気調和機の室外機の分解斜視図
【図３】本発明の実施の形態１に係る空気調和機の室外機が備える熱交換器の正面図
【図４】本発明の実施の形態１に係る空気調和機の室外機の断面図
【図５】本発明の実施の形態１に係る空気調和機の室外機において、第２熱交換部を開けたときの断面図
【図６】本発明の実施の形態１に係る空気調和機の室外機において、第２熱交換部を開けたときの斜視図
【図７】本発明の実施の形態２に係る空気調和機の室外機の断面図
【図８】本発明の実施の形態２に係る空気調和機の室外機において、第２熱交換部を開けたときの断面図
【図９】実施の形態３に係る空気調和機の室外機の斜視図
【図１０】図９に示すX領域の拡大図
【図１１】実施の形態３に係る空気調和機の室外機が備える熱交換器の正面図
【図１２】実施の形態１に係る空気調和機の室外機が備える熱交換器の変形例の断面図
【図１３】図１２に示す熱交換器において、第２熱交換部を開けたときの断面図
【図１４】実施の形態２に係る空気調和機の室外機が備える熱交換器の変形例の断面図
【図１５】図１４に示す熱交換器において、第２熱交換部を開けたときの断面図
【図１６】実施の形態１に係る空気調和機の室外機が備える熱交換器の他の変形例の断面図
【図１７】実施の形態２に係る空気調和機の室外機が備える熱交換器の他の変形例の斜視図
【発明を実施するための形態】
【００１１】
以下、本発明の実施の形態に係る空気調和機の室外機について図面を参照して詳細に説明する。なお、図中、同一又は同等の部分には同一の符号を付す。空気調和機の室外機が備える熱交換器に形成された開口を正面に向けた場合の、左右方向がＸ軸、上下方向がＺ軸、Ｘ軸とＺ軸とに直交する方向がＹ軸である。以下、適宜、この座標系を引用して説明する。
【００１２】
（実施の形態１）
実施の形態１に係る空気調和機の室外機は、筐体の上部に送風機が設けられた、いわゆるトップフロー型の室外機である。この室外機には、装置内に設けられた機器のメンテナンスをするため、熱交換器が備える第１熱交換部に開口が設けられている。また、その開口の領域を有効活用するため、開口に第２熱交換部が配置されている。まず図１−図３を参照して、空気調和機の室外機の構成について説明する。次に、図４−図６を参照して空気調和機の室外機の動作を説明する。
【００１３】
図１は、本発明の実施の形態１に係る空気調和機の室外機１Ａの斜視図である。図２は、空気調和機の室外機１Ａの分解斜視図である。図３は、空気調和機の室外機１Ａが備える熱交換器３０Ａの正面図である。なお、図３では、理解を容易にするため、熱交換器３０Ａが有するフィンを省略している。
図１及び図２に示すように、空気調和機の室外機１Ａは、箱状の筐体１０と、筐体１０の上部に配置される送風機２０と、筐体１０の外周部に配置される四角筒状の熱交換器３０Ａと、で構成されている。
【００１４】
筐体１０は、図１に示すように、直方体状に形成されている。筐体１０は、側面の側から空気を吸い込んで、上面の側へ吸い込んだ空気を吐き出すトップフロー型の室外機１Ａを形成する構造を有する。詳細には、筐体１０は、図２に示すように、空気が通過可能な右サイドカバー１１と、空気が通過可能な左サイドカバー１２と、右サイドカバー１１及び左サイドカバー１２を支持する底部１３と、ベルマウス１４が取り付けられた開口部１５を有する上面部１６と、で構成されている。
【００１５】
右サイドカバー１１と左サイドカバー１２は、筐体１０の右側面と左側面を覆うために、矩形状かつ板状に形成されている。そして、右サイドカバー１１と左サイドカバー１２には、空気を通過可能にするため、格子が設けられた枠１１０、１２０が設けられている。そして、右サイドカバー１１と左サイドカバー１２の−Ｚ端は、図示しないが、底部１３の＋Ｘ端と−Ｘ端に固定されている。
【００１６】
また、図示しないが、右サイドカバー１１と左サイドカバー１２の間には、室外機１Ａの制御装置を収容する制御箱１１１が挟み込まれている。制御箱１１１は、底部１３に配置された部品をメンテナンスできる状態にするため、右サイドカバー１１と左サイドカバー１２の＋Ｚ側の部分の間に配置されている。
【００１７】
底部１３は、四角形状の板金で、詳細には長方形状の板金で形成されている。底部１３の＋Ｚ面側には、図２に示すように、圧縮機１３１、アキュムレータ１３２等の室外機１Ａの部品が固定されている。また、底部１３の−Ｚ面側には、室外機１Ａを設置場所に取り付けるための脚１３３が固定されている。
【００１８】
一方、上面部１６は、円形の開口部１５を有する長方形の形状に形成されている。そして、上面部１６には、開口部１５の回りを取り囲む、上述したベルマウス１４が取り付けられている。ベルマウス１４には、図１に示すように、送風機２０が収容されている。
【００１９】
送風機２０は、上面部１６に設けられ、開口部１５を横断する図示しない梁に支持されている。また、送風機２０は、図示しないモータを有する。送風機２０は、そのモータが一方向に回転することで、筐体１０の外へ送風する。これにより、送風機２０は、筐体１０内の空気を吐き出す。その結果、右サイドカバー１１と左サイドカバー１２の枠１１０、１２０から空気を吸い込まれ、吸い込まれた空気が熱交換器３０Ａを通る。
【００２０】
熱交換器３０Ａは、図２に示すように、開口部３００Ａを有する四角筒の形状に形成された第１熱交換部３１Ａと、開口部３００Ａに嵌め込み可能な板の形状に形成された第２熱交換部３２Ａと、で構成されている。
【００２１】
第１熱交換部３１Ａは、ＸＹ断面で短手方向をＹ方向に向けている。そして、第１熱交換部３１Ａは、−Ｙ側の長手方向に開口部３００Ａを有している。すなわち、第１熱交換部３１Ａは、−Ｙ側にある壁状の面に長方形状の開口部３００Ａを有する。開口部３００Ａの短手方向の長さは、＋Ｘ壁から−Ｘ壁までの長さであり、長手方向の長さは、−Ｙ壁の高さと同じである。第１熱交換部３１Ａは、図示しないが、底部１３に固定されている。
【００２２】
一方、第２熱交換部３２Ａは、Ｙ方向視長方形状の壁面を有する形状に形成されている。そして、その壁面の長手方向をＺ方向に向けている。第２熱交換部３２Ａでは、開口部３００Ａに嵌め込み可能とするため、長手方向の長さが、開口部３００ＡのＺ方向の長さと同じである。短手方向の長さは、後述する、開口部３００Ａでの開閉可能のため、開口部３００ＡのＸ方向の長さよりも小さい。
【００２３】
第２熱交換部３２Ａは、開口部３００Ａを開けて筐体１０内の部品のメンテナンスを可能にするため、第１熱交換部３１Ａに可動可能に支持されている。
【００２４】
詳細には、第１熱交換部３１Ａと第２熱交換部３２Ａは、熱交換用の図示しないフィンと、冷媒を流すための、図３に示す多数の冷媒管３１０Ａ、３２０Ａと、を有する。第１熱交換部３１Ａが有する冷媒管３１０Ａは、冷媒を分配する図２に示す第１ヘッダー３４Ａから、第１熱交換部３１Ａの＋Ｘ壁の−Ｙ端まで延びている。図示しないが、冷媒管３１０Ａは、コの字状である。一方、第２熱交換部３２Ａが有する冷媒管３２０Ａは、図３に示すように、−Ｘ側でＵ字状に屈曲し、第２熱交換部３２Ａの＋Ｘ端で端部が露出している。そして、この冷媒管３２０Ａの端部は、第１熱交換部３１Ａの＋Ｘ壁の−Ｙ端にある冷媒管３１０Ａの端部とフレキシブル管３３で接続されている。ここで、フレキシブル管３３とは、金属、ゴム等で形成された、冷媒管３１０Ａ、３２０Ａよりも大きくたわむことが可能な管のことである。これにより、第２熱交換部３２Ａは、第１熱交換部３１Ａによって開口部３００Ａで開閉可能に支持されている。
次に、図４−図６を参照して空気調和機の室外機１Ａの動作を説明する。
【００２５】
図４は、本発明の実施の形態１に係る空気調和機の室外機１Ａの断面図である。図５は、本発明の実施の形態１に係る空気調和機の室外機１Ａにおいて、第２熱交換部３２Ａを開けたときの断面図である。図６は、本発明の実施の形態１に係る空気調和機の室外機１Ａにおいて、第２熱交換部３２Ａを開けたときの斜視図である。
空気調和機を冷房、暖房等の運転をさせる場合、図１及び図４に示すように、まず、第２熱交換部３２Ａを閉じて開口部３００Ａを閉鎖する。そして、この状態で、送風機２０のモータを回転させて、筐体１０内の空気を＋Ｚ方向へ吐き出させる。
【００２６】
筐体１０の＋Ｘ側面は、右サイドカバー１１の枠１１０によって、−Ｘ側面は、左サイドカバー１２の枠１２０によって、空気が通過可能である。また、筐体１０の＋Ｙ側面は、第１熱交換部３１Ａの＋Ｙ壁によって、筐体１０の−Ｙ側面は、第２熱交換部３２Ａによって、空気が通過可能である。一方、底部１３は板金のため、空気が通過不能である。このため、送風機２０によって筐体１０内の空気が吐き出されると、筐体１０の＋Ｘ、−Ｘ、＋Ｙ、−Ｙ側面の合計４方向の側面から、筐体１０内へ空気が吸い込まれる。４方向の側面には、第１熱交換部３１Ａの＋Ｘ壁、−Ｘ壁、＋Ｙ壁と第２熱交換部３２Ａが位置しているため、空気は、第１熱交換部３１Ａ又は第２熱交換部３２Ａを通って、これらの冷媒管３１０Ａ、３２０Ａを流れる冷媒と熱交換をする。室外機１Ａでは、４方向の側面で熱交換するため、伝熱量が大きく、エネルギー変換効率が高い。
【００２７】
一方、空気調和機の運転を停止させて、室外機１Ａをメンテナンスする場合、図５及び図６に示すように、第２熱交換部３２Ａの−Ｘ端を矢印Ａの方向に移動させる。第２熱交換部３２Ａの＋Ｘ端がフレキシブル管３３によって第１熱交換部３１Ａに接続されているため、フレキシブル管３３が図２に示す屈曲した状態から直線的に延びる状態に変形する。これにより、フレキシブル管３３が蝶番として機能して、第２熱交換部３２Ａが開いた状態となる。その結果、開口部３００Ａが開放される。図示しないが、筐体１０内の＋Ｚ側には、制御箱１１１が配置されている。筐体１０内の−Ｚ側には、底部１３に固定された、圧縮機１３１、アキュムレータ１３２等の室外機１Ａの部品が配置されている。このため、第２熱交換部３２Ａを開けることで、これらの部品をメンテナンスすることができる。このとき、第２熱交換部３２Ａは、第１熱交換部３１Ａに支持されたままであるため、開けられた第２熱交換部３２Ａを別の場所に保管する必要がない。
【００２８】
以上のように、本発明の実施の形態１に係る空気調和機の室外機１Ａは、第１熱交換部３１Ａに形成された開口部３００Ａに第２熱交換部３２Ａが設けられた熱交換器３０Ａを備えている。このため、開口部３００Ａでも熱交換することができる。その結果、熱交換器３０Ａの伝熱量が大きく、室外機１Ａのエネルギー変換効率が高い。
【００２９】
第２熱交換部３２Ａは、第１熱交換部３１Ａに開閉可能に支持されているので、開口部３００Ａで第２熱交換部３２Ａを開けることで、筐体１０内の部品のメンテナンスを容易にすることができる。
【００３０】
また、第２熱交換部３２Ａを開けた場合でも、第２熱交換部３２Ａは、第１熱交換部３１Ａに支持されたままであるため、第２熱交換部３２Ａを保管する必要がなく、紛失もしない。
【００３１】
（実施の形態２）
実施の形態２に係る空気調和機の室外機１Ｂは、２つの開口部３００Ｂが形成された熱交換器３０Ｂを備えている。以下に、図７及び図８を参照して実施の形態２に係る空気調和機の室外機１Ｂを説明する。実施の形態２では、実施の形態１と異なる構成について説明する。
【００３２】
図７は、実施の形態２に係る空気調和機の室外機１Ｂの断面図である。図８は、実施の形態２に係る空気調和機の室外機１Ｂにおいて、第２熱交換部３２Ｂを開けたときの断面図である。
熱交換器３０Ｂは、図７に示すように、２つの開口部３００Ｂが形成された第１熱交換部３１Ｂと、２つの開口部３００Ｂに設けられた２つの第２熱交換部３２Ｂと、で構成されている。
【００３３】
第１熱交換部３１Ｂは、筐体１０の＋Ｘ端と−Ｘ端とに設けられ、Ｙ方向に延在する２つの壁状部３１１Ｂを有している。そして、これらの壁状部３１１Ｂの＋Ｙ端と−Ｙ端とが閉鎖されず、開放されている。これにより、壁状部３１１Ｂの＋Ｙ端と−Ｙ端に、開口部３００Ｂがそれぞれ形成されている。開口部３００Ｂには、それぞれ第２熱交換部３２Ｂが設けられている。
【００３４】
２つの第２熱交換部３２Ｂは、それぞれ、開口部３００Ｂに嵌め込み可能な板の形状に形成されている。図示しないが、その形状は、長方形の板状である。２つの第２熱交換部３２Ｂのうち、一方の第２熱交換部３２Ｂは、筐体１０の＋Ｘ端にある壁状部３１１Ｂとフレキシブル管３３で接続されている。他方の第２熱交換部３２Ｂは、筐体１０の−Ｘ端にある壁状部３１１Ｂとフレキシブル管３３で接続されている。これにより、第２熱交換部３２Ｂは、開口部３００Ｂで開閉可能に壁状部３１１Ｂに支持されている。なお、フレキシブル管３３は、壁状部３１１Ｂが有し、第１ヘッダー３４Ｂに接続された、図示しない冷媒管３１０Ａと第２熱交換部３２Ｂが有する図示しない冷媒管３２０Ａとを接続している。
【００３５】
空気調和機の室外機１Ｂの動作は、図８に示すように、２つの開口部３００Ｂそれぞれで第２熱交換部３２Ｂが開閉すること、圧縮機１３１、アキュムレータ１３２をメンテナンスする場合に、＋Ｙ側にある開口部３００Ｂの第２熱交換部３２Ｂが開くこと及び、制御箱１１１をメンテナンスする場合に、−Ｙ側にある開口部３００Ｂの第２熱交換部３２Ｂが開くことを除いて、実施の形態１の場合と同様である。このため、説明を省略する。
【００３６】
以上のように、実施の形態２に係る空気調和機の室外機１Ｂは、２つの開口部３００Ｂが形成された第１熱交換部３１Ｂを備えるので、装置内の部品の位置に応じてメンテナンスに使用する開口部３００Ｂを選択できる。その結果、装置内の部品のメンテナンス作業が容易である。
【００３７】
２つの開口部３００Ｂそれぞれに第２熱交換部３２Ｂが設けられているので、開口部３００Ｂによらず、熱交換器３０Ｂの伝熱量が大きい。
【００３８】
（実施の形態３）
実施の形態３に係る空気調和機の室外機は、第１ヘッダー３４Ｃが設けられた第１熱交換部３１Ｃと、第２ヘッダー３５Ｃが設けられた第２熱交換部３２Ｃと、を有する熱交換器３０Ｃを備えている。そして、第２熱交換部３２Ｃは、第１ヘッダー３４Ｃと第２ヘッダー３５Ｃがフレキシブル管３３で接続されることで、第１熱交換部３１Ｃに開閉可能に接続されている。以下に、図９−図１１を参照して実施の形態３に係る空気調和機の室外機を説明する。実施の形態３は、実施の形態１と第１ヘッダー３４Ｃ、第２ヘッダー３５Ｃの構成とフレキシブル管３３の配置が異なる。このため、実施の形態３はでは、実施の形態１と異なるこれらの構成、配置について説明する。
【００３９】
図９は、実施の形態３に係る空気調和機の室外機が備える熱交換器３０Ｃの斜視図である。図１０は、図９に示すX領域の拡大図である。図１１は、実施の形態３に係る空気調和機の室外機が備える熱交換器３０Ｃの正面図である。
図９及び図１０に示すように、熱交換器３０Ｃは、＋Ｚ側に第１ヘッダー３４Ｃが設けられた第１熱交換部３１Ｃと、＋Ｚ側に第２ヘッダー３５Ｃが設けられた第２熱交換部３２Ｃと、第１ヘッダー３４Ｃと第２ヘッダー３５Ｃを接続するフレキシブル管３３と、で構成されている。
【００４０】
第１熱交換部３１Ｃと第２熱交換部３２Ｃは、図１１に示すように、図示しないフィンと、−Ｚ方向に延在した後、＋Ｚ方向に屈曲して延在する冷媒管３１０Ｃ、３２０Ｃと、を有している。冷媒管３１０Ｃ、３２０Ｃは、＋Ｚ側に端部を有する。そして、その端部が、冷媒を分配するための第１ヘッダー３４Ｃ、第２ヘッダー３５Ｃに接続されている。
【００４１】
第１ヘッダー３４Ｃは、図９に示すように、コの字状に折り曲げられた２つの円管で構成されている。ここで、２つの円管のうち、一方は冷媒供給用の管、他方は、冷媒排出用の管である。そして、第１熱交換部３１ＣのＺ端面に沿って配置されている。
【００４２】
一方、第２ヘッダー３５Ｃは、直線状に延在する２つの円管で構成されている。ここで、２つの円管は、第１ヘッダー３４Ｃと同様に、それぞれ冷媒供給用、冷媒排出用である。第２ヘッダー３５Ｃは、第２熱交換部３２ＣのＺ端面に沿って配置されている。そして、第２ヘッダー３５Ｃの＋Ｘ端は、第１ヘッダー３４Ｃの＋Ｘ端にフレキシブル管３３で接続されている。これにより、第２熱交換部３２Ａは、第１熱交換部３１Ａに対して開閉可能である。
【００４３】
なお、実施の形態３に係る空気調和機の室外機の動作は、実施の形態１と同様である。このため、説明を省略する。
【００４４】
以上のように、実施の形態３に係る空気調和機の室外機では、第１熱交換部３１Ｃが有する第１ヘッダー３４Ｃと第２熱交換部３２Ｃが有する第２ヘッダー３５Ｃがフレキシブル管３３で接続されている。フレキシブル管３３で接続する箇所が第１ヘッダー３４Ｃ又は第２ヘッダー３５Ｃの数だけなので、構造が簡易で、組立が容易である。また、部品点数が少ないので、製造コストが低い。
【００４５】
以上、本発明の実施の形態を説明したが、本発明は上記の実施の形態に限定されるものではない。例えば、実施の形態１では、開口部３００Ａが筐体１０の−Ｙ面全体を開口する大きさ、形状に形成されている。また、実施の形態２では、２つの開口部３００Ｂが筐体１０の＋Ｙ面と−Ｙ面の全体を開口する大きさ、形状に形成されている。しかし、本発明は、これに限定されない。本発明では、筐体１０が４つの側面を備える場合に、第１熱交換部３１Ａ−３１Ｅが、筐体１０の４つの側面に対向する４つの壁面を有し、それら４つの壁面のうちの１つ以上の壁面に開口部３００Ａ、３００Ｂが形成されていればよい。従って、開口部３００Ａ、３００Ｂの大きさと位置は任意である。
【００４６】
図１２は、実施の形態１に係る空気調和機の室外機１Ａが備える熱交換器３０Ａの変形例の断面図である。図１３は、図１２に示す熱交換器３０Ｄにおいて、第２熱交換部３２Ｄを開けたときの断面図である。図１４は、実施の形態２に係る空気調和機の室外機１Ｂが備える熱交換器３０Ｂの変形例の断面図である。図１５は、図１４に示す熱交換器３０Ｅにおいて、第２熱交換部３２Ｅを開けたときの断面図である。図１６は、実施の形態１に係る空気調和機の室外機１Ａが備える熱交換器３０Ａの他の変形例の断面図である。
実施の形態１に係る空気調和機の室外機１Ａでは、図１２に示すように、開口部３００ＤのＸ方向の幅が筐体１０のＸ方向の幅よりも小さくてもよい。この場合、第１熱交換部３１Ｄは、−Ｙ面に開口部３００Ｄが形成された四角筒の形状に形成されるとよく、開口部３００Ｄは、一定の幅のままＺ方向に延在する形状であるとよい。そして、第２熱交換部３２Ｄは、開口部３００Ｄに嵌め込み可能な板の形状であればよい。このような形態であれば、図１３に示すように、第２熱交換部３２Ｄを開けるときに必要なスペースＳが小さいため、空気調和機の室外機を面積が小さい場所にも設置できる。
【００４７】
また、実施の形態２に係る空気調和機の室外機１Ｂでは、図１４に示すように、開口部３００ＥのＸ方向の幅が筐体１０のＸ方向の幅よりも小さくてもよい。この場合、第１熱交換部３１Ｅは、ＸＹ断面視Ｌ字形の壁状部３１１Ｅと、ＸＹ断面視逆Ｌ字形の壁状部３１１Ｅと、が組み合わされた形状に形成されるとよい。この形態でも、図１５に示すように、第２熱交換部３２Ｅを開けるときに必要なスペースＳを小さくすることができる。
【００４８】
開口部３００Ｄは、図１６に示すように、筐体１０の＋Ｙ面側に形成されてもよい。このように、開口部３００Ａ、３００Ｂ、３００Ｄ、３００Ｅは、室外機１Ａ、１Ｂの設置箇所のスペースに応じて、筐体１０の４つの側面のいずれの側に設けられてもよい。
【００４９】
実施の形態１では、フレキシブル管３３は、第１熱交換部３１Ａが有する冷媒管３１０Ａと第２熱交換部３２Ａが有する冷媒管３２０Ａとを接続している。また、実施の形態３では、フレキシブル管３３は、第１熱交換部３１Ｃが有する第１ヘッダー３４Ｃと第２熱交換部３２Ｃが有する第２ヘッダー３５Ｃとを接続している。本発明では、第１熱交換部３１Ａ−３１Ｅと第２熱交換部３２Ａ−３２Ｅが接続され、かつ冷媒がフレキシブル管３３を介して第１熱交換部３１Ａ−３１Ｅと第２熱交換部３２Ａ−３２Ｅに流通する限りにおいて、フレキシブル管３３の接続対象は任意である。
【００５０】
図１７は、実施の形態２に係る空気調和機の室外機１Ｂが備える熱交換器３０Ｂの他の変形例の斜視図である。
実施の形態２に係る空気調和機の室外機１Ｂでは、図１７に示すように、熱交換器３０Ｂが、それぞれに第１ヘッダー３６が設けられた壁状部３１１Ｆを有する第１熱交換部３１Ｆと、それぞれに第２ヘッダー３７が設けられた２つの第２熱交換部３２Ｆと、を備え、第１ヘッダー３６と第２ヘッダー３７がフレキシブル管３３で接続されてもよい。この場合、フレキシブル管３３で接続する箇所が少ないため、組立が容易で、製造コストを低くすることができる。
【００５１】
実施の形態１−３では、筐体１０の＋Ｘ面、−Ｘ面、＋Ｙ面、−Ｙ面と、熱交換器３０Ａ−３０Ｃの＋Ｘ面、−Ｘ面、＋Ｙ面、−Ｙ面と、がそれぞれ平行である。しかし、本発明はこれに限定されない。本発明では、筐体１０の４つの側面に対する熱交換器３０Ａ−３０Ｆの４つの側面の向きは、筐体１０の底部１３に熱交換器３０Ａ−３０Ｆが固定できる限りにおいて、任意である。従って、例えば、熱交換器３０Ａ−３０Ｃの＋Ｘ面、−Ｘ面が、筐体１０の＋Ｘ面、−Ｘ面に対して傾斜してもよい。熱交換器３０Ａ−３０Ｆの４つの側面は、筐体１０の４つの側面それぞれと対向しているとよい。
【００５２】
また、実施の形態１−３では、筐体１０が４つの側面を有しているが、本発明はこれに限定されない。本発明では、筐体は、多角形に形成された底部を有し、その底部に固定され、全体形状が多角筒状、すなわち、３つ以上の側面を有する筒の形状に形成された熱交換器３０Ａ−３０Ｆが備えられていればよい。このような形状であっても、メンテナンス作業を容易にし、エネルギー変換効率を高めることができる。
【００５３】
実施の形態１−３では、空気調和機の室外機１Ａ、１Ｂがトップフロー型の室外機であるが、本発明は、送風機２０が筐体１０の内部に配置され、筐体１０の側面の側から吸い込んだ空気を熱交換器３０Ａ−３０Ｆに通過させる室外機全般に適用可能である。
【符号の説明】
【００５４】
１Ａ，１Ｂ  室外機、１０  筐体、２０  送風機、１１  右サイドカバー、１２  左サイドカバー、１３  底部、１４  ベルマウス、１５  開口部、１６  上面部、３０Ａ−３０Ｆ  熱交換器、３１Ａ−３１Ｆ  第１熱交換部、３２Ａ−３２Ｆ  第２熱交換部、３３  フレキシブル管、３４Ａ−３４Ｃ，３６  第１ヘッダー、３５Ｃ，３７  第２ヘッダー、１１０，１２０  枠、１１１  制御箱、１３１  圧縮機、１３２  アキュムレータ、１３３  脚、３００Ａ，３００Ｂ，３００Ｄ，３００Ｅ  開口部、３１１Ｂ，３１１Ｅ，３１１Ｆ  壁状部、３１０Ａ，３１０Ｃ，３２０Ａ，３２０Ｃ  冷媒管、Ａ  矢印
【図１】
2019174023.tif 000003
【図２】
2019174023.tif 000004
【図３】
2019174023.tif 000005
【図４】
2019174023.tif 000006
【図５】
2019174023.tif 000007
【図６】
2019174023.tif 000008
【図７】
2019174023.tif 000009
【図８】
2019174023.tif 000010
【図９】
2019174023.tif 000011
【図１０】
2019174023.tif 000012
【図１１】
2019174023.tif 000013
【図１２】
2019174023.tif 000014
【図１３】
2019174023.tif 000015
【図１４】
2019174023.tif 000016
【図１５】
2019174023.tif 000017
【図１６】
2019174023.tif 000018
【図１７】
2019174023.tif 000019